(57)【要約】      （修正有）【課題】錠箱の内部空間をさらに有効的に活用し、かつ、制動レバーの抑止力を大きくする。【解決手段】施錠時、錠箱１内に第１支軸４を介して軸支された錠止レバー５の先端部５ａがラッチ部材２を係止する扉用錠止機構に於いて、前記錠止レバー５は、前記第１支軸４よりも後方から立ち上がり状に前記ラッチ部材２のラッチボルト２ｂを越えて上方へと連設するアーム部５ｂを有する。また前記第１支軸４とは反対側には、第２支軸８を介して軸支されたハンマー型の制動レバー７が設けられ、該制動レバー７の下端部は該アーム部５ｂの上端部に設けられた受け部５ｄを常に押圧するようになっている。このため、錠箱に外部から加振力が作用し、錠止レバー５がラッチ部材２の係合部６から離れようとしても、錠止レバー５のアーム部５ｂ及び制動レバー７の各重みで抑止あるいは制動される。【選択図】図１
2010174434.tif 000002
【特許請求の範囲】
【請求項１】
施錠時、錠箱内に第１支軸を介して軸支された錠止レバーの先端部がラッチ部材を係止する扉用錠止機構に於いて、前記錠止レバー５は、前記第１支軸４よりも後方から立ち上がり状に前記ラッチ部材２のラッチボルト２ｂ或いはラッチボード２ｃの上辺を越えて上方へと連設するアーム部５ｂを有すると共に、該アーム部の上端部には、前記第１支軸とは反対側に相当する上方の第２支軸８を介して軸支されたハンマー型の制動レバー７の下端部に常に押圧される受け部５ｄが設けられていることを特徴とする扉用錠止機構。
【請求項２】
請求項１に於いて、制動レバー７は、ラッチ部材２よりも上方に配設され、その基端部１１ａが第２支軸に軸支されていると共に中途部分に錘１２を有してことを特徴とする扉用錠止機構。
【請求項３】
請求項１に於いて、施錠時、錠止レバー５が傾倒すると、立ち上がり状のアーム部５ｂは錘の機能を発揮することができるようにコ字形状或いは弧状或いはまたＪ字形状に形成されていることを特徴とする扉用錠止機構。
【請求項４】
請求項１に於いて、錠箱１に錠止レバー５の受け部５ｄに係合する係止状態解除用の制御片１５が軸支され、該制御片の下端部１５ａは、ラッチ部材２に摺動自在に設けられたリトラクター１７の係合片１９に係合していることを特徴とする扉用錠止機構。
【発明の詳細な説明】
【技術分野】
【０００１】
本発明は、扉用錠止機構に関し、特に、地震、振動等の外力が錠箱に加わった場合に於いて、ラッチ部材をロック状態に係止している錠止レバー（ロッキングアーム）が、ロック解除の方向へ回転することを抑止する制動部材を備えた扉用錠止機構に関する。
【背景技術】
【０００２】
特許文献１には、施錠時、錠箱２内に第１支軸７を介して軸支された錠止レバー８の先端部がラッチ部材１を係止する扉用錠止機構に於いて、前記錠止レバー８は、その重心が前記第１支軸７よりも前方に位置するように所定長の指先状に形成され、この指先形状錠止レバー８の短杆状の後端係合部８ｅには、ラッチ部材１の上辺よりも上方に位置する固定軸１２に基端部が軸支され、かつ折り曲げ部分を介して下方へとアーム状に延びる自由端部１４の後面が前記短杆状の後端係合部８ｅに係合する係止解除用制御レバー１３が配設され、さらに、前記錠止レバー８の基端部の近傍下方（錠箱の底壁側の空間）に第２支軸２２を介して全体の形状がＺ字形又はＬ字形の制動レバー２３が軸支され、該制動レバー２３の重心は、前記第２支軸２２よりも後方（錠箱の後壁側）に位置するように設定されていると共に、施錠時に於いて、錠箱に外部から振動が加わらない常態のときは、制動レバー２３の先端部側の前端がラッチ部材１の底面から所要量離れるように第２支軸２２に巻装された戻りばね２３に付勢され、一方、錠箱に外部から振動が加わったときには、先端部側の前端の動きにより、錠止レバー８の先端部がラッチ部材１の段差状係合部から離れるのを抑止するように衝撃力を打つ消す扉用錠止機構が開示されている。
【０００３】
上記構成は、本願発明と同一の目的を有するものであるが、例えば略Ｌ字形の制動レバー２３を錠止レバー８の基端部の近傍の下方（錠箱の底壁側の空間）に第２支軸２２を介して配設するものであるから、錠箱の下部側の空間を有効活用することができないという問題点があった。
【０００４】
付言すると、この種の扉用錠止機構は、特許文献１に記載のように、例えばホテルの扉用の自動施錠装置として使用され、普通一般に錠箱の下部側の空間にトリガー、ラッチ部材が錠箱内に後退したときに、トリガーに連動して該ラッチ部材を一時的に捕捉するストッパー部材、操作部材の操作力によって回転するハンドルカム等の部材が適宜に組み込まれている。したがって、ホテルの扉用の自動施錠装置の機能を阻害或いは前記各部材と干渉しないように、錠箱内に制動レバー２３を組み込まなければならないという難点があった（符号は特許文献のもの）。
【０００５】
また、特許文献１に記載の制動レバー２３は、全体の形状がＺ字形又はＬ字形に形成され、その先端部の上面で指先形状錠止レバー８の下面を受けて、重力の回転角運動により、いわゆる物理学上の回転摩擦抵抗により、指先形状の錠止レバー８からの衝撃力（運動エネルギー）を打つ消すものであるが、錠箱の底壁側の空間は、限られたスペースであることから、錠止レバー８の第２支軸２２から後方の後端部の形状及び長さがそれなりに限定され、その結果、制動レバー２３の制動機能を十分に発揮させることができないという問題点があった。
【０００６】
次に、特許文献２にも、本願発明と同一の目的を有する扉用錠止機構が記載されている。例えば特許文献２の図１には、ダルマの近傍に逆Ｌ字形状のハンマーレバー２２が配設され、該ハンマーレバー２２は、その下方先端部が支軸２３に軸支されていると共に、下辺でもって馬形状の駆動板１３のお尻に相当する後端傾斜面２６を押圧する事項が記載されている。
【０００７】
この特許文献２は、ハンマーレバー２２、すなわち、錠止レバー５用の制動レバー２２を錠箱の上部側の空間に配設するので、特許文献の問題点を解消することができる。
しかしながら、特許文献２の図１から明らかなように、ハンマーレバー２２は、ラッチ部材２の上方に位置する係合ピン２１及び馬形状の駆動板１３を介して錠止レバー５を間接的に抑止する構成なので、部品点数が多くなると共に、錠箱の上部側の空間を有効的に活用できないと問題点がある（符号は特許文献のもの）。なお、特許文献３は、ダルマ乃至ラッチ部材の作動を円滑にするために、ダルマの回転をラッチ部材に伝達する構成の一例が開示されている。
【先行技術文献】
【特許文献】
【０００８】
【特許文献１】特開２００６−９７４５６号公報
【特許文献２】特開２００７−３３２６４８号公報
【特許文献３】特開２００５−２９０７４４号公報
【発明の概要】
【発明が解決しようとする課題】
【０００９】
本願発明の所期の目的は、錠止レバー及び制動レバーの構成及び配設箇所を工夫することにより、特許文献１及び特許文献２の問題点を解消すると共に、制動レバーの機能を十分に発揮させることである。
【課題を解決するための手段】
【００１０】
本発明の扉用錠止機構は、施錠時、錠箱内に第１支軸を介して軸支された錠止レバーの先端部がラッチ部材を係止する扉用錠止機構に於いて、前記錠止レバー５は、前記第１支軸４よりも後方から立ち上がり状に前記ラッチ部材２のラッチボルト２ｂ或いはラッチボード２ｃの上辺を越えて上方へと連設するアーム部５ｂを有すると共に、該アーム部の上端部には、前記第１支軸とは反対側に相当する上方の第２支軸８を介して軸支されたハンマー型の制動レバー７の下端部に常に押圧される受け部５ｄが設けられていることを特徴とする。
【００１１】
上記構成に於いて、ラッチ部材２よりも上方に配設された制動レバー７は、その基端部１１ａが前記第２支軸に軸支されていると共に中途部分に錘１２を有していることを特徴とする。また、施錠時、錠止レバー５が傾倒すると、立ち上がり状のアーム部５ｂは錘の機能を発揮することができるようにコ字形状或いは弧状或いはまたＪ字形状に形成され、さらに、さらに、錠箱１に錠止レバー５の受け部５ｄに係合する係止状態解除用の制御片１５が軸支され、該制御片の下端部１５ａは、ラッチ部材２に摺動自在に設けられたリトラクター１７の係合片１９に係合していることを特徴とする。
【発明の効果】
【００１２】
（ａ）錠止レバー及び制動レバーの構成及び配設箇所を工夫することにより、特許文献１及び特許文献２の問題点を解消すると共に、制動レバーの機能を十分に発揮させることができる。
（ｂ）特に、請求項２等に記載の発明は、ラッチ部材２よりも上方に配設された制動レバー７は、その基端部１１ａが前記第２支軸に軸支されていると共に中途部分に錘１２を有していること、また、錠止レバーが傾倒すると、立ち上がり状のアーム部は錘の機能を発揮することができるようにコ字形状或いは弧状或いはまたＪ字形状に形成され、さらに、錠止レバーの制動レバー７から押圧される点（抑止点）が、錠止レバーを軸支する第１支軸４から長くなると共に、制動レバーの全重量が上方から重力回転摩擦抵抗となって錠止レバーの後端部に相当する受け部に加わるから、特許文献１の構成と比較して、制動レバーの制動乃至抑止力が非常に大きいという利点がある。付言すると、前記抑止点が錠止レバーの重心よりも長くなることから、制動力を有効的に利用することができる。
（ｃ）さらに、請求項４に記載の発明は、制御片をラッチ部材２に摺動自在に設けられたリトラクター１７の係合片１９に係合されて錠止レバーの錠止（係止）状態を解くことができるので、錠箱の内部空間をさらに有効的に活用できる。
【図面の簡単な説明】
【００１３】
図１乃至図８は本発明の第１実施例を示す各説明図。
【図１】実施形態の一例を示す概略説明図（閉扉時、錠止或いは施錠状態）。
【図２】要部の概略断面説明図。
【図３】要部を構成する部材の斜視からの概略説明図。
【図４】閉扉時に於いて、錠止状態が解かれ、かつラッチ部材が後退した状態）の概略説明図。
【図５】錠箱と制御片の説明図。
【図６】錠止状態並びに錠止解除状態における制御片と錠止レバーとの関係を示す概略説明図。
【図７】ラッチ部材とリトラクターの関係を示す概略説明図。
【図８】リトラクターに対するラックと制御片の係合関係を示す分解斜視図。
【発明を実施するための最良の形態】
【００１４】
図１乃至図８を参照にして発明を実施するための最良の形態を説明する。まず、図１は施錠（錠止）状態の概略説明図である。また、図２は施錠（錠止）状態における要部の概略断面説明図である。さらに、図３は要部の分解斜視図である。
【００１５】
施錠時、錠箱１内の略中央部に水平状態に設けられたラッチ部材（本実施例では、デットボルトの機能も兼ねる）２のラッチヘッド２ａは、錠箱１のフロント１ａから突出して戸枠３側の図示しない受け具に係入している。
【００１６】
この施錠状態に於いて、前記ラッチ部材２を構成する杆状のラッチボルト２ｂ及び枠状のラッチボード２ｃよりも下方に位置する第１支軸４に軸支された錠止レバー５の先端部（ここでは第１支軸よりも前方に延在する部分）５ａは、ラッチヘッド２ａの後端面とラッチボード２ｃの固定前端面で形成された段差状の係合部６を係止している。
【００１７】
本実施例では、錠止レバー５は、単なるバー状ではなく、第１支軸４よりも後方部分あるいは後端部（先端部５ａから後へと適宜に折曲形成されて連設する部分）は、立ち上がり状にラッチボルト２ｂ及びラッチボード２ｃを超えて上方へと連設（延在）するアーム部５ｂとなっている。
【００１８】
付言すると、図２（正面視）で示すように、錠止レバー５は、例えば右手親指と人差し指を互いに対向するように開いた格好をしており、立ち上がり状のアーム部５ｂはコ字形状（本実施例）或いは弧状に形成されている。そして、錠止アームは、図３で示すように、アーム部５ｂの上端の水平板部５ｃに垂直状態の受け部５ｄを有している。
【００１９】
施錠時、錠止レバー５は、図１で示すように後方側へ傾倒すると、該錠止レバー５の重心は第１支軸４よりも後方へと移るので、アーム部５ｂは錘の機能を発揮する。これに加えて、本実施例ではハンマー型制動レバー７の下端部が、錠止レバー５の受け部５ｄの先端面を押圧する。
【００２０】
したがって、錠箱１に外部からの加振力が作用した時、該加振力によって錠止レバー５が第１支軸４を支点にその先端部５ａがラッチ部材２の係合部６から離間する方向へ移動しようとしても、錠止レバー５のアーム部５ｂ及び制動レバー７の各重みにより抑止あるいは制動される。
【００２１】
ハンマー型の制動レバー７は、錠止レバー５の受け部５ｄよりも上方に位置する第２支軸８に軸支されている。本実施例では、第２支軸８は、ラッチ部材よりも下方に位置する第１支軸４とは反対側であり、かつダルマ９の駆動力で水平方向へ移動するラック１０よりも上方に位置している。
【００２２】
制動レバー７は、図３で示すように、くの字形状、Ｌ型形状、Ｃの字形状等に適宜折り曲げ形成されたハンマー本体１１と、このハンマー本体の段差状中央部の両側面に一体的に設けられた一対の錘１２とから構成され、前記ハンマー本体１１の不番軸孔を有する基端部１１ａは前述した第２支軸８に軸支され、一方、基端部１１ａに対して交差（例えば直交）方向に連設する自由端部１１ｂは錠止レバー５の受け部５ｄの先端面に常に当接している。
【００２３】
したがって、本実施例のハンマー型の制動レバー７は、略全体の重みが錠止レバー５の受け部５ｄに加わる。すなわち、ハンマー型の制動レバー７の基端部１１ａを軸支する第２支軸８を基準にすると、施錠時、制動レバー７は、中央部の折り曲げ部分に設けられた錘１２の中心が前記第２支軸８よりも下方に位置した状態で、かつ中央部の折り曲げ部分から下方へと連設する自由端部１１ｂが受け部５ｄの先端面を押圧するので、ハンマー型の制動レバー７の全体の重量が錠止レバー５の受け部５ｄに作用する。
【００２４】
ラック１０は、錠箱１の上部に組み込まれたダルマ９と錠箱１の中央部に進退動自在に配設されたラッチ部材２との間に配設され、かつダルマ９の駆動力により、案内手段１０ｂ、１３を介して水平移動する。本実施例では、施錠時、ラック１０は、矢印で示す時計方向に回転するダルマ９の駆動力により、錠箱１のフロント１ａ側へと水平移動する。
しかして、図８で示すように、ラック１０は、その上辺の後端部側にダルマ９のピニオンギヤ９ａと噛合する係合歯１０ａ、錠箱１の中央部（中央部寄りの部位も含む）に横設された案内ピン１３と係合する案内長孔１０ｂ、不番のラックバネの一端（先端）部を支持する支持突片１０ｃ及びリトラクターの係合片１９に係合する係合突片１０ｄをそれぞれ有している。なお、前記案内ピン１３には、不番のラックバネの他端（後端）部を受ける不番のバネ端受け片が設けられている。
【００２５】
ここで、図４、図５及び図６を参照にして、錠止レバー５の係止状態を解除する制御片１５について説明する。指状或いはアーム状に形成された制御片１５は、ラッチ部材２と第２支軸８との間に位置し、その下端部１５ａに設けた横軸１６を介して錠箱１内に回転自在に配設されている。制御片１５の形状に関しては任意事項であるが、例えば、軸孔を有する突片状の下端部１５ａから適宜に折り曲げ形成されて上方へと延びる長板状の自由端部１５ｂの縁部は、錠止レバー５の受け部５ｄの背面に係合している。また、制御片１５の前記下端部１５ａは、リトラクター１７の係合片１９に形成した被係合部（切欠）１９ａに係合する（図８参照）。
【００２６】
図６の（ａ）は、施錠時における錠止レバー５と制御片１５との係合状態、一方、図６の（ｂ）は、解錠における錠止レバー５と制御片１５との係合状態をそれぞれ示す。図６の（ａ）と図６の（ｂ）を対比すると明らかなように、やや傾倒状態にある制御片１５が、横軸１６を支点にして矢印で示す時計方向へ所定量回転すると、片腕を折り曲げたような形状の錠止レバー５は、第１支軸４を支点にして同方向（係止解除の方向）に回転する。
【００２７】
そこで、図４、図７及び図８を参照にして、制御片１５が横軸１６を支点にして回転する理由を説明する。錠止レバーの受け部５ｄの背面に係合する係止状態解除用の制御片１５は、ラッチ部材２と制動レバー７との間に位置するように配設され、かつその下端部１５ａは、前記ラッチ部材２のラッチボルト２ｂ及びラッチボード２ｃに水平移動自在に組み合わされたリトラクター１７に係合している。リトラクター１７は、ラッチボルト２ｂに摺動自在に設けられた軽ミゾ形綱のバネ受け片１８と、このバネ受け片１８の一辺から延在し、かつラッチボード２ｃの上面の上方に水平状態に位置する係合片１９とから構成され、前記係合片１９の中央部には、制御片１５の下端部１５ａが係合する被係合部（切欠）１９ａが形成されている。また、係合片１９の後端部の手前側には、前述したラック１０の係合突片１０ｄと係合する突起状の受け部１９ｂが形成されている。
【００２８】
図７を参照にして、ラッチ部材２の細部的事項を説明する。ラッチボルト２ｂの略中心部にはリトラクター１７の下向きコ字形状のバネ受け片１８の一端部を受けるフランジ状のストッパー２１が設けられている。また、該ストッパー２１を基準としてラッチボルト２ｂの後端部側には、フランジ状のバネ受け片２２が設けられている。そして、ラッチボルト２ｂには、複数個のバネ部材が巻装されている。その一つは、ラッチボルト２ｂの先端部側に設けられたラッチ付勢用バネ２３で、このラッチ付勢用バネの先端はラッチボード２ｃの先端面に圧接し、一方、その後端は、例えば図５で示すように、錠箱１に固定された軽ミゾ形綱の固定バネ受け片２４に圧接している。他の一つは、リトラクター用調整（復帰）バネ２５で、このリトラクター用調整（復帰）バネ２５は、リトラクター１７のバネ受け片１８の一端部とバネ受け片２２との間に設けられている。
【００２９】
なお、図５で示すように、錠箱１３の後壁１ｂ側の中央部には、ラッチ部材２用の案内長孔１ｃが複数個形成され、これらの案内長孔１ｃには、ラッチボード２ｃの後端部に突設した不番の係合突起が係合している。また、錠箱１の側壁の上部には、ダルマ装着用の嵌合孔１ｄが形成されている。錠箱１の細部的事項の説明は割愛する。
【００３０】
図４は扉を閉じた状態に於いて、ダルマ９を矢印で示す反時計方向へ回転させて錠止レバー５の係止状態を解いた状態を含む解錠状態の概略説明図である。解錠時、ラック１０は、ダルマ９の駆動力により、矢印で示すように錠箱１の後壁１ｂ側へと移動する。その際、ラック１０が所定方向へ後退動し始めると、前述したように、ラック１０の下方の係合突片１０ｄの後端面がリトラクター１７の係合片１９の受け部１９ｂの前面を係合状態で押圧することから、リトラクター１７は、リトラクター用調整（復帰）バネ２５のバネ力に抗してラック１０と共働して同方向へと移動する。
【００３１】
また、前記係合片１９の被係合部（切欠）１９ａに制御片１５の下端部１５ａが係合していることから、錠止レバー５は、該制御片１５を介しかつ第１支軸４を支点にして係止を解く方向へと回転する。この時、制御片１５は矢印で示す時計方向に回転することから、制動レバー７は、第２支軸８を支点にして反時計方向へと回転する。
【００３２】
次いで、ラック１０がさらに所定方向へ後退動し続けると、ラック１０の後端部が、例えばラッチボード２ｃの後端部に衝突することから、ラッチ部材２はラック１０に追動して、かつラッチ付勢用バネ２３のバネ力に抗して所定位置まで後退動する。その結果、ラッチ部材２のラッチヘッド２ａは、錠箱１のフロント１ａ側へと後退する。
【００３３】
なお、図１及び図４に於いて、錠箱１の下部側には、トリガー、ラッチ部材が錠箱内に後退したときに、前記トリガーに連動して該ラッチ部材を一時的に捕捉するストッパー部材、操作部材の操作力によって回転するハンドルカム等の部材が適宜に組み込まれているが、錠箱１の下部側に組み込まれるこれらの部材やラッチ部材用捕捉機構は、本発明の特定要件ではないので省略してある。
【実施例】
【００３４】
錠止レバー５の形状は、図１の正面視を基準にすると、片腕を上方に折り曲げた状態で上げ、かつその手首を上方に向けた格好の形態である。したがって、ラッチ部材２の下方或いは第１支軸４からラッチ部材２の上辺を越えるように延伸するアーム部５ｂの形状は、正面視、コ字形状（本実施例）の他、逆Ｃ字形状、Ｊ字形状、弧状形状等、本発明の目的を達成する範囲に於いて、任意に設計変更することができる。また、アーム部５ｂの材質は、特に問わない。さらに、アーム部５ｂ等は、中実、中空（パイプ状）のいずれであっても良い。また、本実施例では、制動レバー７は、上方の基端部１１ａから下方に指向する自由端部７ｂに至る折曲げ途中部に望ましくは錘１２が設けられているが、前記錘１２は、本発明の必須要件ではない。
【００３５】
さらに、本実施例では、ラッチ部材２は、「特許文献１と同様にダルマ９の駆動力はダルマ９のピニオンギヤ９ａと噛合するラック１０を介して後退動する」が、前記ピニオンギヤ９ａとラック１０に代えて、ダルマ９の駆動腕と、該駆動腕の端部に設けられ、かつラッチ部材２の後端部に突出形成した係合突起と係合する係合ピンとの関係（例えば特開２００５−２９０７４４号公報）であっても良い。
【００３６】
なお、本発明の細部的事項の説明を割愛したが、本実施例のバネ部材について補足説明すると、例えば錠止レバー５は、第１支軸４に巻装された不番の付勢バネにより、その先端部５ａがラッチ部材２の係合部６に付勢されている。また、図４の解錠時に於いて、ラック１０が矢印方向へ移動するとき、不番のラックバネは収縮する。また、ラッチ付勢用バネ２３も収縮する。
【産業上の利用可能性】
【００３７】
本発明は、錠前や建具の分野で利用される。
【符号の説明】
【００３８】
１…錠箱、２…ラッチ部材、２ａ…ラッチヘッド、２ｂ…ラッチボルト、４…第１支軸、５…錠止レバー、５ａ…先端部、５ｂ…アーム部、５ｄ…受け部、６…係合部、７…制動レバー、１１ａ…基端部、７ｂ…下端部（自由端部）、８…第２支軸、９…ダルマ、１０…ラック、１１…ハンマー本体、１２…錘、１５…制御片、１５ａ…下端部、１６…横軸、１７…リトラクター、１９…係合片。
【図１】
2010174434.tif 000003
【図２】
2010174434.tif 000004
【図３】
2010174434.tif 000005
【図４】
2010174434.tif 000006
【図５】
2010174434.tif 000007
【図６】
2010174434.tif 000008
【図７】
2010174434.tif 000009
【図８】
2010174434.tif 000010